(57)【要約】【課題】従来の顕微鏡用加温装置は、導電膜を形成した透明板により加温しているため、容器を透明板に載せると、この部分の温度が周辺より低くなり、加温板表面の温度分布が不均質となり、容器全体を均質な温度に保つことができない。また、板状の透明加温板を使用しているため、薄型化の妨げとなる。【解決手段】本発明では、透明板の代わりにこれより十分に薄い透明な樹脂製シート１を用い、シート１の表面に検体を入れた容器９の底面と同形の発熱用透明導電膜２、電流入出力用端子３および電極４を形成し、このシート１を絶縁性接着剤７で容器９に貼り付けて容器９の直下のみを加温する。また、このシート１と顕微鏡ステージ８との間に断熱用シート５を挟み、熱流失を無くす。【選択図】　図４
2004046039.tif 000002
【特許請求の範囲】
【請求項１】
透明で膜厚がほぼ均質な導電膜と透明な樹脂製シートからなる顕微鏡加温シートであって、前記導電膜をはさんで一対の電極を設け、前記導電膜と前記電極との間に前記導電膜と同質の電流入出力用端子が複数カ所設けられていることを特徴とする顕微鏡用加温シート。
【請求項２】
請求項１に記載した顕微鏡用加温シートにおいて、前記導電膜が検体を載せる容器底面とほぼ同形であることを特徴とする顕微鏡用加温シート。
【請求項３】
請求項１〜２に記載した顕微鏡用加温シートであって、その下面に断熱剤を設けたことを特徴とする顕微鏡用加温シート。
【請求項４】
請求項３に記載した顕微鏡用加温シートにおいて、断熱剤の一部を切り欠き、温度センサーを取り付けたことを特徴とする顕微鏡用加温シート。
【請求項５】
請求項１〜４に記載した顕微鏡用加温シートと、検体を載せる容器底面とを絶縁性接着剤で接着したことを特徴とする顕微鏡用加温容器。
【発明の詳細な説明】
【０００１】
【発明の属する技術分野】
本発明は、顕微鏡観察時に観察の対象となる検体を加温する顕微鏡用加温装置に関するものである。
【０００２】
【従来の技術】
人工授精や遺伝子研究等のように、精子、卵子や遺伝子（検体）を所定温度に保ち、それを顕微鏡で観察しなくてはならない場合がある。この要求を満たすための装置として、従来の顕微鏡用加温装置がある。この種の装置の出願には、特願平６−１１３５４０（特許第２８３５４２２号）、実願平７−２７１４（実用新案登録第３０１６８９４号）、特願平１３−０２１８１３等がある。この種の装置は、いずれも基本的には顕微鏡のステージに装着し、発熱用透明板に検体を載せて加温する。発熱用透明板の表面には蒸着法等によって膜厚がほぼ均質な透明導電膜が形成されている。この透明導電膜に通電することにより透明導電膜を発熱させ、検体を加温している。
【０００３】
【発明が解決しようとする課題】
上記した顕微鏡用加温装置は、どのようなタイプのものであっても検体を所定温度に常に保つことが要求され、それがこの種の装置の性能を決定することになる。しかし、この種の顕微鏡用加温装置は、検体を入れた容器を発熱用透明板に載せると、この部分の温度が周辺より低くなる。これを補正すべく従来の装置ではさらに透明板全体を加温しなければならない。加温板表面は全体がほぼ同程度の熱量を発熱していることから、容器を載せた部分とその他の部分とでは温度に著しい差が生じ透明板の温度は不均質となる。このため、検体全体を均質な温度に保つことができないという問題がある。
【０００４】これに加え、この種の装置では透明板上に形成した導電膜に通電して透明板を加温させているため、検体を入れた容器に加え透明板をも加温しなければならず、検体を入れた容器のみを加温するのに比し無駄な電力を多く必要とするという問題がある。
【０００５】また、電極は透明板の上に直接形成されいるわけではなく、透明導電膜の上に接着されている。このような形状の電極では、接着部分の導電性接着剤の厚さや空隙などの要因から、導電膜に均質な電流を供給できない。このような電極の形状は、従来の装置において透明板の温度分布の不均質性を発生させる要因となっている。
【０００６】加えて、顕微鏡観察時には、光源の焦点距離が短く、光源から検体までの距離をなるべく短くしなければならないことを要求されることが多い。このため加温装置の厚さを薄くすることが要求されている。しかしながら、従来の顕微鏡用加温装置は板状の透明加温板を使用しているため、これが装置の薄型化の妨げとなっている。
【０００７】本発明は上記した従来の問題点に鑑みて為されたものであり、検体を入れた容器のみが常に所望の温度に保たれ、またその温度分布が均一で、さらに薄型化を実現できる顕微鏡用加温装置を提供することを目的とする。
【０００８】
【課題を解決するための手段】
上記課題を解決するために、請求項１の発明は、透明で膜厚がほぼ均質な導電膜と透明な樹脂製シートからなる加温シートであって、前記導電膜をはさんで一対の電極を設け、前記導電膜と前記電極との間に前記導電膜と同質の電流入出力用端子が複数カ所設けられていることを特徴とする顕微鏡用加温シートである。
【０００９】請求項２の発明は、請求項１に記載した顕微鏡用加温シートにおいて、前記導電膜が検体を載せる容器底面とほぼ同形であることを特徴とする顕微鏡用加温シートである。
【００１０】請求項３の発明は、請求項１〜２に記載した顕微鏡用加温シートであって、その下面に断熱剤を設けたことを特徴とする顕微鏡用加温シートである。
【００１１】請求項４の発明は、請求項３に記載した顕微鏡用加温シートにおいて、断熱剤の一部を切り欠き、温度センサーを取り付けたことを特徴とする顕微鏡用加温シートである。
【００１２】請求項５の発明は、請求項１〜４に記載した顕微鏡用加温シートと、検体を載せる容器底面とを絶縁性接着剤で接着したことを特徴とする顕微鏡用加温容器である。
【００１３】
【発明の実施の形態】
以下本発明の１実施例を図１から図４に示し説明する。符号１は透明樹脂製シートを示し、このシート１の表面には、検体を載せた容器底面と同形のＳｉＯ２−インジウム合金によって構成される透明導電膜２および電流入出力用端子３と電極４が真空蒸着法等によって形成されている。以下に説明する透明樹脂製シートは、電気抵抗に大きな差を生じさせない程度に膜厚がほぼ均質な透明導電膜が真空蒸着あるいは印刷でき、前記導電膜が必要とする温度まで発熱した時に前記導電膜が切断されるなどの変形を生じない樹脂から構成されている。透明導電膜は、いずれもＳｉＯ２−インジウム合金によって構成されている。なお、透明導電膜は、ＳｉＯ２−インジウム合金の他、酸化すず、酸化インジウム等によって構成してもよい。
【００１４】
透明導電膜２が形成された面には電流入出力用端子３を介し、一対の電極４が形成されている。電極４はシート１の縁に沿って設けられ、互いに対向して配置されている。一対の電極４は図示しない導電線と接続されており、この導電線を介して電力出力機器に接続されている。
【００１５】
シート１の下面には顕微鏡ステージ８との間に一部切り欠きを有する断熱用シート５が装着されている。シート１の下面と顕微鏡ステージ８および断熱用シート５とに囲まれた空間にはシート１下面に温度センサー６が装着されている。透明導電膜２、電力入出力用端子３および電極４が設けられたシート１は、上部に絶縁性接着剤７を介して検体を載せる容器９が貼り付けられている。そして、導電線、電極４および電力入出力用端子３を介して透明導電膜２に通電して発熱させ、検体を加熱し、検体を所望の温度に保って顕微鏡観察を行う。
【００１６】
【発明の効果】
以上のように、請求項１〜５の発明によれば、透明導電膜と電極とは電流入出力用端子を介して接しているため、導電膜に均質な電流を供給することができる。また、検体を載せた容器を透明板を介さず直接加温していることから、従来の装置に比し無駄な電力を削減できる。加えて、本発明では、板状の素材を使用する従来の加温装置に比べ薄いシートを用いていることから、光源から検体までの距離を短くすることができる。このため、光源の焦点距離が短く光源から検体までの距離をなるべく短くしなければならないという要求に本発明は容易に対応することができる。
請求項２の発明によれば、検体を入れた容器のみを加温させることができることから、従来の装置で発熱用透明板に容器を載せると、この部分の温度が周辺より低くなり、これを補正すべく透明板全体の発熱量を増加させる結果検体全体を均質な温度に保つことができないという現象を防ぐことができる。
請求項３の発明によれば、導電膜の形成されたシートと顕微鏡ステージとの間には断熱用シートが装着されていることから、導電膜の形成されたシートの熱が部分的に顕微鏡ステージに流出することがほとんどなくなり、この要因からも発熱シートの部分的温度低下を防ぐことができる。
請求項４の発明では、温度センサーを検体を入れた容器の直下に設置できる。しかも、加温シートが薄いことから、検体の温度を精確に制御することができる。
請求項５の発明では、検体を載せる容器を使い捨てタイプのものにすれば顕微鏡用加温容器そのものを使い捨てタイプの製品とすることができる。
【図面の簡単な説明】
【図１】本発明の１実施例の加温シートの分解斜視図である。
【図２】本発明の１実施例の加温シートの平面図である。
【図３】透明な樹脂製シートの下面に装着する断熱用シートの平面図である。
【図４】本発明の１実施例にかかる顕微鏡用加温容器を顕微鏡ステージに載せた状態の横断面図である。
【符号の説明】
１…透明な樹脂製シート　２…透明導電膜　３…電流入出力用端子　４…電極
５…断熱用シート　６…温度センサー　７…絶縁性接着剤
８…顕微鏡ステージ　９…検体を載せる容器
【図１】
2004046039.tif 000003
【図２】
2004046039.tif 000004
【図３】
2004046039.tif 000005
【図４】
2004046039.tif 000006